(57)【要約】【課題】スタッキングに際しての作業性の向上を図りつつ、スタッキング状態の安定化を図ることのできる蓋付き容器を提供する。【解決手段】蓋付き容器１は、平面視略矩形状の底壁構成部３、及び、底壁構成部３の各側辺部からそれぞれ上方に延出する側壁部４、５を具備する容器本体２と、容器本体２に被せられる蓋部材６とを備える。容器本体２は、側壁部４、５の上辺部から外方に突出する上フランジ部１１と、相対する一対の長辺側側壁部４からそれぞれ外方に膨出する支持部１４と、支持部１４の内面側に設けられ、容器本体２の内方、及び、上方に開口する受容部１８とを備え、容器本体２同士のスタッキング、及び、ネスティングの両方が可能となっている。蓋部材６は、容器本体２に被せられた状態において、長辺側側壁部４に設けられた受容部１８の上側の開口部の一側部と他側部との間を跨ぐようにして延在する架け渡しリブ４１を備える。【選択図】      図１３
2019218125.tif 000002
【特許請求の範囲】
【請求項１】
平面視略矩形状の底壁構成部、及び、前記底壁構成部の各側辺部からそれぞれ上方に延出する側壁部を具備する容器本体と、
前記容器本体に被せられる蓋部材とを備える蓋付き容器において、
前記容器本体は、
前記側壁部の上辺部、又は、その近傍部位から外方に突出する上フランジ部と、
前記上フランジ部よりも下方位置において、前記側壁部のうち少なくとも相対する一対の側壁部からそれぞれ外方に突出する支持部と、
前記側壁部のうち少なくとも相対する一対の側壁部において、当該側壁部を外方に膨出させることで、その内面側に設けられ、前記容器本体の内方に開口するとともに、前記上フランジ部を切り欠くようにして上方にも開口する受容部とを備え、
前記容器本体同士が積み重ねられる形態として、上側の前記容器本体と、下側の前記容器本体との相対的な向きを変えることで、
上側の前記容器本体の前記支持部が、下側の前記容器本体の前記上フランジ部に当接して支持されるスタッキング形態と、
上側の前記容器本体の前記支持部が、下側の前記容器本体の前記受容部に収容されるネスティング形態とに形態変化可能に構成され、
前記蓋部材は、前記容器本体に被せられた状態において、少なくとも相対する一対の前記側壁部に設けられた前記受容部の上側の開口部の一側部と他側部との間を跨ぐようにして延在する架け渡しリブを備えていることを特徴とする蓋付き容器。
【請求項２】
前記蓋部材は、前記容器本体に対し、前記蓋部材の外周形状と、前記容器本体の上部外周形状とを合わせるようにして、
前記蓋部材、及び、前記容器本体の周方向において、前記蓋部材の外周面を構成する４つの側面のうち第１側面と、前記容器本体の４つの前記側壁部のうち第１側壁部とが合致する第１相対向きで被せることが可能に構成されるとともに、
前記蓋部材、及び、前記容器本体の周方向において、前記蓋部材の前記第１側面と、前記容器本体の前記側壁部のうち前記第１側壁部とは異なる第２側壁部とが合致する第２相対向きでも被せることが可能に構成され、
前記架け渡しリブは、
前記蓋部材が前記容器本体に対して前記第１相対向きで被せられた場合に、前記受容部の上方を跨ぐようにして延在する第１架け渡しリブと、
前記蓋部材が前記容器本体に対して前記第２相対向きで被せられた場合に、前記受容部の上方を跨ぐようにして延在する第２架け渡しリブとを備えていることを特徴とする請求項１に記載の蓋付き容器。
【請求項３】
前記蓋部材は、
平面視略矩形状の天壁部と、
前記天壁部の下面から下方に突出するとともに、前記容器本体に被せられた状態において、少なくとも下端部を含む部位が前記側壁部の内周側に挿入される内側リブと、
前記天壁部の下面のうち前記内側リブよりも外方の位置から下方に突出する外側リブと、
前記内側リブと、前記外側リブとの間を連結する連結リブとを備え、
前記架け渡しリブは、前記連結リブに連結されていることを特徴とする請求項１又は２に記載の蓋付き容器。
【請求項４】
前記架け渡しリブは、当該架け渡しリブの両端部において前記連結リブと連結されていることを特徴とする請求項３に記載の蓋付き容器。
【請求項５】
前記蓋部材が前記容器本体に被せられた状態において、前記外側リブ、前記連結リブ、及び、前記架け渡しリブが、前記容器本体の前記上フランジ部に当接して支持されるように構成されていることを特徴とする請求項３又は４に記載の蓋付き容器。
【請求項６】
全ての前記側壁部において前記受容部が設けられるとともに、
前記蓋部材には、前記容器本体に被せられた場合に、全ての前記受容部の上方にそれぞれ延在する前記架け渡しリブが設けられていることを特徴とする請求項１乃至５のいずれかに記載の蓋付き容器。
【発明の詳細な説明】
【技術分野】
【０００１】
本発明は、物品の運搬等に使用される蓋付き容器に関するものである。
【背景技術】
【０００２】
従来、上方に開口する箱型の容器として、内部に物品を収容した状態で容器同士を積み重ねる（スタッキングする）ことが可能な上、上側の容器を下側の容器の内側に対してスタッキング時よりも深く挿入させるようにして積み重ねる（ネスティングする）ことが可能に構成されたものが知られている。つまり、容器は、容器の側壁部から外方に突出する支持部と、容器をネスティングする場合に、上側の容器の支持部を収容する受容部とを備え、容器同士を上下に配置し、上側の容器の支持部と、下側の容器の受容部との位置を合わせるようにして、容器同士を積み重ねることで、容器がネスティングされる。その一方で、容器同士を上下に配置し、上側の容器の支持部と、下側の容器の受容部との位置が合わない相対配置として、容器同士を積み重ねることで、上側の容器の支持部が、下側の容器の上辺部（容器の上辺部から外方に突出するフランジ部）に当接して支持され、容器がスタッキングされるようになっている。
【０００３】
また、上記のような容器に対して蓋部材を被せた蓋付き容器がある（例えば、特許文献１等参照。）。かかる蓋付き容器は、容器に蓋部材を被せた状態でも、蓋付き容器同士を積み重ねる（スタッキングする）ことができるようになっている。
【先行技術文献】
【特許文献】
【０００４】
【特許文献１】特許第２９２８４５７号公報
【発明の概要】
【発明が解決しようとする課題】
【０００５】
ところで、蓋付き容器をスタッキングする場合に、上側の蓋付き容器の容器と、下側の蓋付き容器の容器とがスタッキングの相対位置関係になっている場合には、蓋部材越しではあるが、上側の容器の支持部の直下方に、下側の容器の上辺部（フランジ部）が配置され、上側の容器の支持部が、下側の容器の上辺部により、好適に支持される。
【０００６】
その一方で、蓋付き容器をスタッキングする場合に、上側の蓋付き容器の容器と、下側の蓋付き容器の容器とがネスティングの相対位置関係になっている場合には、上側の容器の支持部の直下方に、下側の容器の上辺部が配置されていないこととなる。このため、下側の容器の蓋部材のうち、上側の容器の支持部と当接する部位が変形等し易くなってしまうことが懸念される。
【０００７】
また、蓋付き容器のスタッキング状態の安定化を図るべく、上側の蓋付き容器の容器と、下側の蓋付き容器の容器とがスタッキングの相対位置関係になるように、蓋付き容器の向きを確認しながら積み重ねることも考えられる。しかしながら、この場合、向きの確認に余分な時間を要し、作業性の低下を招くおそれがある。さらに、スタッキングされた蓋付き容器のいずれかの容器が、作業ミスにより、上側、又は、下側の蓋付き容器の容器に対して、ネスティングの相対位置関係となってしまっているといった懸念も払拭することができない。
【０００８】
本発明は、上記例示した問題点等を解決するためになされたものであって、その目的は、スタッキングに際しての作業性の向上を図りつつ、スタッキング状態の安定化を図ることのできる蓋付き容器を提供することにある。
【課題を解決するための手段】
【０００９】
以下、上記課題等を解決するのに適した各手段につき項分けして説明する。なお、必要に応じて対応する手段に特有の作用効果等を付記する。
【００１０】
手段１．平面視略矩形状の底壁構成部、及び、前記底壁構成部の各側辺部からそれぞれ上方に延出する側壁部を具備する容器本体と、
前記容器本体に被せられる蓋部材とを備える蓋付き容器において、
前記容器本体は、
前記側壁部の上辺部、又は、その近傍部位から外方に突出する上フランジ部と、
前記上フランジ部よりも下方位置において、前記側壁部のうち少なくとも相対する一対の側壁部からそれぞれ外方に突出する支持部と、
前記側壁部のうち少なくとも相対する一対の側壁部において、当該側壁部を外方に膨出させることで、その内面側に設けられ、前記容器本体の内方に開口するとともに、前記上フランジ部を切り欠くようにして上方にも開口する受容部とを備え、
前記容器本体同士が積み重ねられる形態として、上側の前記容器本体と、下側の前記容器本体との相対的な向きを変えることで、
上側の前記容器本体の前記支持部が、下側の前記容器本体の前記上フランジ部に当接して支持されるスタッキング形態と、
上側の前記容器本体の前記支持部が、下側の前記容器本体の前記受容部に収容されるネスティング形態とに形態変化可能に構成され、
前記蓋部材は、前記容器本体に被せられた状態において、少なくとも相対する一対の前記側壁部に設けられた前記受容部の上側の開口部の一側部と他側部との間を跨ぐようにして延在する架け渡しリブを備えていることを特徴とする蓋付き容器。
【００１１】
手段１によれば、蓋部材のうち、容器本体に被せられた場合に、受容部の上方に位置する部位の強度、及び、剛性を高めることができる。従って、蓋付き容器同士を積み重ねる（スタッキングする）場合に、上側の蓋付き容器の容器本体と、下側の蓋付き容器の容器本体とが、（下側の蓋付き容器の蓋部材を介して）ネスティング形態の相対位置関係になり、上側の容器本体の支持部の直下方に、下側の容器本体の上フランジ部が存在していない場合であっても、下側の蓋付き容器の蓋部材のうち、上側の蓋付き容器の容器本体の支持部と当接して支持する部位の変形や損傷等を効果的に防止することができる。
【００１２】
また、上側の蓋付き容器の容器本体と、下側の蓋付き容器の容器本体とが、スタッキング形態の相対位置関係となる場合には、上側の容器本体の支持部の直下方に、（下側の蓋付き容器の蓋部材を介して）下側の容器本体の上フランジ部が配置されることから、下側の蓋付き容器の蓋部材のうち、上側の容器本体の支持部を支持した部位の下面側を、下側の容器本体の上フランジ部で好適に支持することが可能であり、蓋付き容器の安定したスタッキングが行われる。すなわち、蓋付き容器をスタッキングする際に、上側の蓋付き容器の容器本体と、下側の蓋付き容器の容器本体とが、スタッキング形態の相対位置関係、及び、ネスティング形態の相対位置関係のどちらになっても、安定したスタッキングが行われる。従って、蓋付き容器をスタッキングする際に、蓋付き容器の向きを確認しなくても、蓋付き容器を安定してスタッキングさせることができ、蓋付き容器のスタッキングに際しての作業性の向上等を図ることができる。さらに、スタッキングされた蓋付き容器の向きを間違えることによって、蓋付き容器のスタッキング状態の不安定化を招くといった事態を回避することができる。結果として、蓋付き容器のスタッキングに際しての作業性の向上を図りつつ、蓋付き容器のスタッキング状態の安定化を図ることができる。
【００１３】
尚、「前記蓋部材が前記容器本体に被せられた状態において前記架け渡しリブが、前記容器本体の前記上フランジ部に当接して支持されるように構成されていること」としてもよい。この場合、例えば、蓋付き容器のスタッキング状態において、上側の蓋付き容器の容器本体と、下側の蓋付き容器の容器本体とがネスティング形態の相対位置関係となる場合に、下側の蓋付き容器の蓋部材（平面視略矩形状の天壁部）のうち、上側の蓋付き容器の容器本体の支持部に当接して支持している部位の下面側に設けられている架け渡しリブが、下側の蓋付き容器の容器本体の上フランジ部に当接して支持されることとなる。これにより、蓋付き容器のスタッキング状態において、上側の蓋付き容器の容器本体と、下側の蓋付き容器の容器本体とがネスティング形態の相対位置関係となっている場合に、上側の蓋付き容器の荷重を、下側の蓋付き容器の蓋部材の天壁部、及び、架け渡しリブを介して、下側の蓋付き容器の容器本体の上フランジ部に支持させることができる。結果として、蓋付き容器のスタッキング状態の安定化を図るといった作用効果がより確実に奏される。
【００１４】
手段２．前記蓋部材は、前記容器本体に対し、前記蓋部材の外周形状と、前記容器本体の上部外周形状とを合わせるようにして、
前記蓋部材、及び、前記容器本体の周方向において、前記蓋部材の外周面を構成する４つの側面のうち第１側面と、前記容器本体の４つの前記側壁部のうち第１側壁部とが合致する第１相対向きで被せることが可能に構成されるとともに、
前記蓋部材、及び、前記容器本体の周方向において、前記蓋部材の前記第１側面と、前記容器本体の前記側壁部のうち前記第１側壁部とは異なる第２側壁部とが合致する第２相対向きでも被せることが可能に構成され、
前記架け渡しリブは、
前記蓋部材が前記容器本体に対して前記第１相対向きで被せられた場合に、前記受容部の上方を跨ぐようにして延在する第１架け渡しリブと、
前記蓋部材が前記容器本体に対して前記第２相対向きで被せられた場合に、前記受容部の上方を跨ぐようにして延在する第２架け渡しリブとを備えていることを特徴とする手段１に記載の蓋付き容器。
【００１５】
例えば、容器本体を平面視した場合に、容器本体に長手幅と、短手幅とが存在する場合、容器本体のスタッキング、及び、ネスティングの両方を可能とするべく、支持部及び受容部は、平面視（或いは下面視）で底壁構成部の中央部を中心として非点対称位置に設けられている。ところで、利便性の向上を図るべく、容器本体の上部外周形状と、蓋部材の外周形状とを合わせさえすれば、蓋部材を容器本体に被せられるように構成することが望ましい。しかしながら、例えば、架け渡しリブについても、容器本体の受容部に対応させて、下面視で非点対称位置に設けることとした場合、架け渡しリブの位置と、受容部の位置とを合わせるようにして、蓋部材を容器本体に被せた状態から、蓋部材を１８０度旋回させて容器本体に被せた場合、架け渡しリブの位置と、受容部の位置とがずれてしまう。
【００１６】
この点、本手段２によれば、蓋部材には、容器本体に対して第１相対向きで被せた場合に受容部の上方を跨ぐようにして延在する第１架け渡しリブだけでなく、容器本体に対して第２相対向きで被せた場合に受容部の上方を跨ぐようにして延在する第２架け渡しリブが設けられている。このため、容器本体の上部外周形状と、蓋部材の外周形状とを合わせて、蓋部材を容器本体に被せさえすれば、受容部の上方に第１架け渡しリブ、又は、第２架け渡しリブを延在させることができる。従って、容器本体に蓋部材を被せる際の利便性、及び、作業性の向上が図られる上、蓋付き容器のスタッキング状態の安定化を図るといった上記作用効果がより確実に奏される。
【００１７】
また、例えば、蓋付き容器のスタッキング状態において、上側の蓋付き容器の容器本体と、下側の蓋付き容器の容器本体とがスタッキング形態の相対位置関係となっている場合であっても、上側の蓋付き容器の容器本体の支持部は、下側の蓋付き容器の蓋部材のうち下面側において架け渡しリブが設けられている部位の上面側に当接して支持されることとなる。このため、例えば、蓋付き容器のスタッキング状態において、上側の蓋付き容器の容器本体と、下側の蓋付き容器の容器本体とがスタッキング形態の相対位置関係となっている場合に、下側の蓋付き容器の蓋部材（天壁部）のうち、上側の蓋付き容器の容器本体の支持部に当接して支持する部位の下面側と、下側の蓋付き容器の容器本体の上フランジ部との間が離間してしまい、蓋部材の該当部位が変形等してしまう等といった事態を、第１架け渡しリブ、及び、第２架け渡しリブのうち受容部の上方に延在していない方の架け渡しリブによって（天壁部や上フランジ部を互いに当接するように凹凸させるといった加工を行わなくても、或いは、天板部の下面側や上フランジ部の上面側にリブを追加しなくても）回避させることができる。従って、上記のように、蓋部材を容器本体に被せる際の利便性を向上させつつ、蓋付き容器のスタッキング状態において、上側の蓋付き容器の容器本体と、下側の蓋付き容器の容器本体とが、スタッキング形態の相対位置関係となる場合のスタッキング状態の安定化を図るといった作用効果がより確実に奏される。
【００１８】
尚、第１架け渡しリブと、第２架け渡しリブとを連結させることも可能である。さらに、「前記蓋部材には、前記容器本体に被せられた状態において前記上フランジ部の上方に位置する部位のうち、前記架け渡しリブが設けられる範囲と、前記架け渡しリブが設けられていない範囲とが設けられていること」としてもよい。この場合、架け渡しリブが蓋部材の全周にわたって設けられる場合に比べて、蓋部材の軽量化等を図るとともに、蓋部材において、蓋部材を持ち上げる際に作業者が手を掛けることのできる手掛け部等を好適に設けることができる。
【００１９】
手段３．前記蓋部材は、
平面視略矩形状の天壁部と、
前記天壁部の下面から下方に突出するとともに、前記容器本体に被せられた状態において、少なくとも下端部を含む部位が前記側壁部の内周側に挿入される内側リブと、
前記天壁部の下面のうち前記内側リブよりも外方の位置から下方に突出する外側リブと、
前記内側リブと、前記外側リブとの間を連結する連結リブとを備え、
前記架け渡しリブは、前記連結リブに連結されていることを特徴とする手段１又は２に記載の蓋付き容器。
【００２０】
手段３によれば、架け渡しリブの強度、及び、剛性を高めることができ、架け渡しリブの変形（傾倒変位等）や損傷を抑止することができる。結果として、蓋付き容器のスタッキング状態の安定化を図るといった上記作用効果がより確実に奏される。
【００２１】
尚、連結リブは、蓋部材が容器本体に被せられた状態において、受容部から外れた位置に設けられていてもよいし、受容部の上方に延在するようにして（連結リブと、架け渡しリブとが交差するようにして）設けられていてもよい。また、架け渡しリブと、内側リブとの間を連結したり、架け渡しリブと、外側リブとの間を連結したりするリブを設けることとしてもよい。
【００２２】
手段４．前記架け渡しリブは、当該架け渡しリブの両端部において前記連結リブと連結されていることを特徴とする手段３に記載の蓋付き容器。
【００２３】
手段４によれば、架け渡しリブの変形や損傷を抑止するといった作用効果がより一層奏される。
【００２４】
手段５．前記蓋部材が前記容器本体に被せられた状態において、前記外側リブ、前記連結リブ、及び、前記架け渡しリブが、前記容器本体の前記上フランジ部に当接して支持されるように構成されていることを特徴とする手段３又は４に記載の蓋付き容器。
【００２５】
手段５によれば、蓋部材を容器本体に被せた状態において、外側リブを容器本体の上フランジ部に当接させることで、蓋部材の外寸を、容器本体の上部の外寸から外方にはみ出さないように構成しつつ、蓋部材と、容器本体（上フランジ部）とが上下に当接する面積を効率的に増やすことができる。さらに、蓋部材を容器本体に被せた状態において、外側リブの他にも、連結リブ、及び、架け渡しリブが、上フランジ部に当接して支持されることから、外側リブ、連結リブ、及び、架け渡しリブが、互いに強度、及び、剛性を高め合い、変形等を抑止することができる。結果として、蓋付き容器のスタッキング状態の安定化を図るといった作用効果がより一層奏される。
【００２６】
手段６．全ての前記側壁部において前記受容部が設けられるとともに、
前記蓋部材には、前記容器本体に被せられた場合に、全ての前記受容部の上方にそれぞれ延在する前記架け渡しリブが設けられていることを特徴とする手段１乃至５のいずれかに記載の蓋付き容器。
【００２７】
手段６によれば、例えば、蓋部材を容器本体に被せた状態において、上方に架け渡しリブが延在していない受容部が存在する場合に比べ、上下の蓋付き容器の容器本体がネスティング形態の相対位置関係となる蓋付き容器のスタッキング状態のより一層の安定化を図ることができる。
【図面の簡単な説明】
【００２８】
【図１】蓋付き容器を示す斜視図である。
【図２】容器本体の平面図である。
【図３】容器本体の上面側を示す斜視図である。
【図４】容器本体の下面側を示す斜視図である。
【図５】蓋部材の上面側を示す斜視図である。
【図６】蓋部材の下面図である。
【図７】蓋部材の下面側を示す斜視図である。
【図８】蓋付き容器の断面図である。
【図９】蓋付き容器の断面図であって、上側半分は、内周対応部よりも上方で外側リブが存在する位置において水平に切断した場合の断面図であり、下側半分は、内周対応部よりも下方で内側リブが存在する位置において水平に切断した場合の断面図である。
【図１０】容器本体のスタッキング状態、及び、ネスティング状態を示す斜視図である。
【図１１】容器本体のスタッキング状態、及び、ネスティング状態を示す断面図である。
【図１２】蓋付き容器のスタッキング状態を示す斜視図である。
【図１３】蓋付き容器のスタッキング状態を示す一部断面を含む斜視図である。
【図１４】図１３のＪ部を示す部分拡大斜視図である。
【図１５】図１３のＫ部を示す部分拡大斜視図である。
【発明を実施するための形態】
【００２９】
以下に、一実施形態について図面を参照して説明する。図１、図３等に示すように、蓋付き容器１は、平面視略矩形状の底壁構成部３、底壁構成部３の相対する一対の長側辺部からそれぞれ上方に延出する長辺側側壁部４、及び、底壁構成部３の相対する一対の短側辺部からそれぞれ上方に延出する短辺側側壁部５を具備する容器本体２と、容器本体２に被せられる蓋部材６とを備えている。本実施形態の長辺側側壁部４、及び、短辺側側壁部５は、上方に向けて容器本体２の外方に傾斜して延びている。また、容器本体２、及び、蓋部材６は、ポリプロピレンによってそれぞれ一体的に形成されている。
【００３０】
また、図２〜図４等に示すように、容器本体２は、各長辺側側壁部４、及び、各短辺側側壁部５の上辺部から外方に突出する上フランジ部１１と、上フランジ部１１から下方に所定距離離間した位置において、上フランジ部１１と平行して延びる補助フランジ部１２と、上フランジ部１１の下面と、補助フランジ部１２の上面との間を連結するフランジ補強リブ１３とを備えている。上フランジ部１１、及び、補助フランジ部１２は略水平方向に延び、容器本体２の内外周方向において、上フランジ部１１の外側端縁、補助フランジ部１２の外側端縁、及び、フランジ補強リブ１３の外側端縁が同じ位置となっている（面一で鉛直に延在している）。
【００３１】
さらに、容器本体２は、各長辺側側壁部４、及び、各短辺側側壁部５から外方に突出する支持部１４を備えている。支持部１４は、上下方向に延在する左右一対の側板部１５と、一対の側板部１５の外縁部間を連結する外板部１６と、一対の側板部１５、及び、外板部１６で囲まれる空間の下側を閉塞する下板部１７とを備えている。側板部１５、及び、外板部１６の上端部は、長辺側側壁部４、及び、短辺側側壁部５の上フランジ部１１と連結され、側板部１５、及び、外板部１６の下端部は、容器本体２の高さ方向において底壁構成部３の上面よりも若干上方に位置している（図４、図８参照）。加えて、図４等に示すように、支持部１４の外板部１６は、当該支持部１４が設けられた長辺側側壁部４、又は、短辺側側壁部５の外面と略平行して延び、支持部１４の一対の側板部１５は、当該支持部１４が設けられた長辺側側壁部４、又は、短辺側側壁部５の両端部と連結されている短辺側側壁部５、又は、長辺側側壁部４と略平行して延び、一対の側板部１５同士が下方に向けて互いに近付く方向に傾斜して延びている。
【００３２】
また、図２、図３に示すように、本実施形態の容器本体２は、長辺側側壁部４、及び、短辺側側壁部５のうち、各支持部１４の一対の側板部１５、及び、下板部１７で囲まれる範囲を切り欠くようにして、各支持部１４の内面側を容器本体２の内方に開口させるとともに、上フランジ部１１（及び、補助フランジ部１２）のうち、各支持部１４の一対の側板部１５、及び、外板部１６で囲まれる範囲を切り欠くようにして、各支持部１４の内面側を上方にも開口させることで、当該支持部１４の内面側に設けられた（支持部１４の内面側により構成された）受容部１８を備えている。
【００３３】
本実施形態では、一対の短辺側側壁部５のうち一方（図２で紙面右側の短辺側側壁部５。以下、「第１短辺側側壁部５ａ」とも称する）に関しては、当該第１短辺側側壁部５ａの横幅方向の両側部近傍位置においてそれぞれ支持部１４（及び受容部１８）が設けられている。これに対し、他方の短辺側側壁部５（図２で紙面左側の短辺側側壁部５。以下、「第２短辺側側壁部５ｂ」とも称する）に関しては、第１短辺側側壁部５ａの支持部１４よりも、短辺側側壁部５の横幅方向中央部側において支持部１４（及び受容部１８）が左右一対で設けられている。
【００３４】
また、一対の長辺側側壁部４に関しては、両方とも、第２短辺側側壁部５ｂの近傍部位において支持部１４（及び受容部１８）が設けられるとともに、長辺側側壁部４の横幅方向中央部を中心として前記第２短辺側側壁部５ｂの近傍位置に設けられた支持部１４（及び受容部１８）の対称となる位置よりも、長辺側側壁部４の横幅方向中央部側の位置において（長辺側側壁部４の横幅方向中央部側に隣接して）支持部１４（及び受容部１８）が設けられている。尚、容器本体２は、平面視において、一対の短辺側側壁部５の横幅方向中央部を通る直線を中心として線対称形状をなしている。
【００３５】
以上のような構成により、本実施形態では、容器本体２同士を同じ向きで上下に配置して積み重ねることで、図１０及び図１１の下から１段目（最下段）の容器本体２と、下から２段目の容器本体２とのようにして、上側の容器本体２の支持部１４が、下側の容器本体２の受容部１８に挿入される（収容される）とともに、上側の容器本体２の大部分が、下側の容器本体２の内側に挿入されるようになっている。このように容器本体２同士が積み重ねられる（ネスティングされる）ことで、物品を収容していない状態における容器本体２の運搬・保管効率の向上等が図られるようになっている。尚、図１０等に示すように、本実施形態では、容器本体２のネスティング状態において、下側の容器本体２の上フランジ部１１の上面と、上側の容器本体２の補助フランジ部１２の下面とが当接するようになっている。
【００３６】
その一方で、容器本体２同士を同じ向きで上下に配置した状態から、上側の容器本体２を下側の容器本体２に対して１８０度旋回させて積み重ねることで、図１０及び図１１の下から２段目の容器本体２と、下から３段目の容器本体２とのようにして、上側の容器本体２の支持部１４が、下側の容器本体２の上フランジ部１１に当接して支持されるとともに、上側の容器本体２の下端部を含む部位（支持部１４よりも下方の部位）が、下側の容器本体２の側壁部４、５の内周側に挿入されるようになっている。このように容器本体２同士が積み重ねられる（スタッキングされる）ことで、物品を収容した状態で容器本体２同士を積み重ねて運搬・保管等することが可能となる。
【００３７】
また、図４等に示すように、各支持部１４の下方には、長辺側側壁部４、及び、短辺側側壁部５、並びに、これらと上下に連接する底壁構成部３から外方に突出するずれ防止部１９が設けられている。すなわち、図１０、図１１に示すように（下から２段目、及び、３段目の容器本体２を参照）、容器本体２をスタッキングした状態において、上側の容器本体２に関し、下側の容器本体２の側壁部４、５の内周側に挿入される部位のうち、底壁構成部３、及び、側壁部４、５においては、下側の容器本体２の側壁部４、５との間に比較的大きな隙間が生じてしまうものの、ずれ防止部１９においては、下側の容器本体２の側壁部４、５との間の隙間を小さくすることができる。これにより、スタッキングされた上下の容器本体２の水平方向における相対変位が抑止される。
【００３８】
さらに、図２、図３に示すように、本実施形態の上フランジ部１１は、段差状に構成されており、内側の下段部２１と、外側の上段部２２とを備えている。容器本体２をスタッキングした場合には、上側の容器本体２の支持部１４が、下側の容器本体２の上フランジ部１１の下段部２１に当接して支持されるようになっており（図１０の下から２段目、及び、３段目の容器本体２を参照）、図３に示すように、当該支持部１４と当接して支持する部位（以下、「載置部２３」とも称する）は、下段部２１においても、さらに一段低くなるように構成されている。本実施形態では、載置部２３は、受容部１８に隣接した配置とされている。
【００３９】
尚、載置部２３から上方に突出するずれ防止突部２４が設けられている。ずれ防止突部２４の上端部は、下段部２１の上面と略同じ高さ位置となっている（或いは、ずれ防止突部２４の上端部の方を若干低くしてもよい）。これに対し、図４に示すように、支持部１４の下板部１７の下面は、側板部１５、及び、外板部１６の下端部よりも上方に位置しており、これによって、支持部１４の下面側には、側板部１５、及び、外板部１６で囲われ、下方に開口するずれ防止凹部２５が設けられている。そして、容器本体２のスタッキング状態では、下側の容器本体２のずれ防止突部２４が、上側の容器本体２のずれ防止凹部２５に挿入される。これにより、物品を収容した状態で複数の容器本体２同士が積み重ねられる（スタッキングされる）時に、側壁部４、５が圧縮荷重を受けたりしても、側壁部４、５の相対変位（開き）が抑止されるようになっている。
【００４０】
さて、図５〜図７等に示すように、蓋部材６は、平面視略矩形状の天壁部３１と、天壁部３１の各側辺部から下方に突出する外側リブ３２と、天壁部３１の下面から下方に突出するとともに、容器本体２に被せられた状態において、少なくとも下端部を含む部位が側壁部４、５の内周側に挿入される内側リブ３３（図９の下側部分を参照）とを備えている。図５に示すように、天壁部３１は、容器本体２に被せられた状態において、容器本体２の上フランジ部１１の上方に位置する外周対応部３４と、外周対応部３４の内周縁から下方に延びる段差壁部３５と、段差壁部３５の下縁部の内周側を閉塞する内周対応部３６とを備え、外周対応部３４は、内周対応部３６よりも一段高くなっている。図６等に示すように、内側リブ３３は、内周対応部３６の外周縁に沿って、内周対応部３６の外周縁よりも若干内方に変位した位置に設けられている。図７に示すように、外側リブ３２は、外周対応部３４の外周縁から下方に突出しており、外側リブ３２の下縁部は、内側リブ３３の下縁部よりも上方（本例では、内周対応部３６の下面と同じ高さ）に位置している。
【００４１】
また、図６、図７に示すように、蓋部材６には、外側リブ３２と、内側リブ３３との間を連結する連結リブ３７が設けられている。上記のように、容器本体２の上フランジ部１１は段差形状をなしており（図３参照）、図７に示すように、連結リブ３７の下辺部についても段差形状をなしている。つまり、連結リブ３７のうち、上フランジ部１１の上段部２２に対応する部位の下縁部は、外側リブ３２の下縁部と同じ高さ位置（面一）とされ、上フランジ部１１の下段部２１に対応する部位の下縁部は、外側リブ３２の下縁部よりも下方、かつ、内側リブ３３の下縁部よりも上方に位置するように構成されている。加えて、蓋部材６の下面側の４隅には、外側リブ３２のコーナー部と、段差壁部３５との間を連結するコーナーリブ３８が設けられ、コーナーリブ３８の下縁部は、外側リブ３２の下縁部と同じ高さ位置とされている。
【００４２】
さらに、図１、図９（上側部分参照）に示すように、蓋部材６を容器本体２に被せた状態において、外側リブ３２の外面が、容器本体２の上フランジ部１１、補助フランジ部１２、及び、フランジ補強リブ１３の外側端縁と略面一となるように構成されている。以上のような構成により、蓋部材６を容器本体２に被せた状態では、外側リブ３２、コーナーリブ３８、及び、連結リブ３７の上段側の部位が、上フランジ部１１の上段部２２に当接して支持され、連結リブ３７の下段側の部位が、上フランジ部１１の下段部２１に当接して支持されるようになっている（図３、図７、図９参照）。
【００４３】
加えて、図５等に示すように、蓋部材６の上面側には、外周対応部３４の外周縁から上方に突出する外周突部３９が設けられている。当該外周突部３９が設けられることにより、例えば、図１２に示すように、蓋部材６の上側に対し、外周対応部３４に支持させるようにして箱状体７（例えば、容器や段ボール箱等）を載せる場合に、当該箱状体７の水平方向における位置ずれが防止されるようになっている。また、上記のように、本実施形態の容器本体２の上フランジ部１１は段差状に構成されており、前記箱状体７を、上フランジ部１１の下段部２１に支持させるようにして、容器本体２に載置することも可能である。この場合、上フランジ部１１の下段部２１と、上段部２２との間を上下に連結する壁部により、箱状体７の水平方向における変位が規制されるようになっている。尚、図７等に示すように、本実施形態では、蓋部材６のうち内側リブ３３の内周側の部位においては、天壁部３１から突出するリブ等が設けられておらず、軽量化等が図られている。
【００４４】
さて、図１等に示すように、蓋部材６は、容器本体２に対し、蓋部材６の外周形状と、容器本体２の上部外周形状とを合わせさえすれば、被せることができるように構成されている。すなわち、蓋部材６、及び、容器本体２の周方向において、蓋部材６の外周面を構成する４つの側面のうち、一方の長側面（例えば、図５で紙面右下側、図６で紙面下側の長側面。以下、「第１長側面６ａ」とも称する）と、容器本体２の一対の長辺側側壁部４のうち一方の長辺側側壁部４（図２で紙面下側、図３で紙面右下側の長辺側側壁部４。以下、「第１長辺側側壁部４ａ」とも称する）とが合致する「第１相対向き」で被せること（例えば、図１に示す状態とすること）が可能に構成されるとともに、蓋部材６の第１長側面６ａと、容器本体２の一対の長辺側側壁部４のうち他方の長辺側側壁部４（図２で紙面上側、図３で紙面左上側の長辺側側壁部４。以下、「第２長辺側側壁部４ｂ」とも称する）とが合致する「第２相対向き」でも被せること（例えば、図１に示す蓋付き容器１の蓋部材６を真っ直ぐ上方に持ち上げ、水平に１８０度旋回させて、容器本体２に被せること）が可能に構成されている。
【００４５】
また、図６、図７、図９等に示すように、蓋部材６は、容器本体２に被せられた状態において、各長辺側側壁部４に設けられた受容部１８の上側の開口部の一側部と他側部との間を跨ぐようにして延在する架け渡しリブ４１を備えている。特に、本実施形態の架け渡しリブ４１は、蓋部材６が容器本体２に対して「第１相対向き」で被せられた場合に、受容部１８の上方を跨ぐようにして延在し、蓋部材６が容器本体２に対して「第２相対向き」で被せられた場合に、受容部１８の上方を跨ぐようにしては延在しない第１架け渡しリブ４２と、蓋部材６が容器本体２に対して「第２相対向き」で被せられた場合に、受容部１８の上方を跨ぐようにして延在し、蓋部材６が容器本体２に対して「第１相対向き」で被せられた場合に、受容部１８の上方を跨ぐようにしては延在しない第２架け渡しリブ４３とを備えている。
【００４６】
第１架け渡しリブ４２、及び、第２架け渡しリブ４３は、それぞれ内側リブ３３（外側リブ３２）と平行して延び、内側リブ３３（外側リブ３２）との間の距離も同じとなっている。さらに、上記のように、下方に向けて縮幅する支持部１４の下端部を載置する部位である載置部２３と、受容部１８とが隣接しており、平面視において、第１向きの容器本体２の受容部１８の位置と、第１向きの蓋部材６を底壁構成部３の中央部を中心として１８０度旋回させた第２向きの容器本体２の受容部１８の位置とが一部重複するようになっている。このことから、本実施形態では、第１架け渡しリブ４２と、第２架け渡しリブ４３とについても、長辺側側壁部４の横幅方向において、一部が重複する格好となり、また、長辺側側壁部４の厚み方向における形成位置も同じであることから、第１架け渡しリブ４２と、これに隣接する第２架け渡しリブ４３とが連結されている。このため、互いに連結された第１架け渡しリブ４２、及び、第２架け渡しリブ４３は、全体として、直線状に延在するとともに、蓋部材６が容器本体２に被せられた状態において、各架け渡しリブ４１（連結された第１架け渡しリブ４２、及び、第２架け渡しリブ４３）は、受容部１８、及び、当該受容部１８に隣接する載置部２３を跨ぐようにして延在する。
【００４７】
また、架け渡しリブ４１（連結された第１架け渡しリブ４２、及び、第２架け渡しリブ４３）は、その両端部が、それぞれ連結リブ３７と連結されている。さらに、架け渡しリブ４１は、蓋部材６の外周対応部３４のうち、容器本体２の上フランジ部１１の下段部２１に対応する部位において設けられている。加えて、架け渡しリブ４１（第１架け渡しリブ４２、及び、第２架け渡しリブ４３）の下縁部は、連結リブ３７の下段側の部位の下縁部と同じ高さ位置となっている。このため、蓋部材６が容器本体２に被せられた状態では、架け渡しリブ４１は、連結リブ３７の下段側の部位とともに、上フランジ部１１の下段部２１に当接して支持されるようになっている。尚、上記のように、載置部２３は、下段部２１よりも一段低くなっており、蓋部材６を容器本体２に被せた状態において、架け渡しリブ４１は、載置部２３とは当接しないものの、受容部１８、及び、載置部２３を跨いで、受容部１８、及び、載置部２３の一側方、及び、他側方に位置する上フランジ部１１（下段部２１）に当接して、支持されるようになっている。
【００４８】
尚、本実施形態の蓋部材６は、上面側、及び、下面側がともに、天壁部３１の中央部を中心とした点対称形状、かつ、天壁部３１の中央部を通り、蓋部材６の側辺部に平行して延びる仮想直線を中心とした線対称形状をなしている。また、本実施形態の天壁部３１には、短辺側側壁部５の受容部１８に対応する架け渡しリブ４１は設けられていない。さらに、各長辺側側壁部４に設けられた一対の受容部１８のうち一方の受容部１８に対応する架け渡しリブ４１と、他方の受容部１８に対応する架け渡しリブ４１との間にも、架け渡しリブ４１は設けられていない。
【００４９】
また、本実施形態では、蓋付き容器１同士を積み重ねる（スタッキングする）ことが可能に構成されている。蓋付き容器１をスタッキングした場合には、上側の蓋付き容器１の容器本体２の支持部１４が、下側の蓋付き容器１の蓋部材６の天壁部３１の外周対応部３４の上面に当接して支持されるようになっている。その一方で、蓋付き容器１のスタッキング状態であっても、上側の蓋付き容器１の容器本体２の底壁構成部３が、下側の蓋付き容器１の蓋部材６の天壁部３１の内周対応部３６と圧接しないように（例えば、当接しないように）なっている。
【００５０】
さらに、本実施形態では、蓋付き容器１をスタッキングする場合に、上側の蓋付き容器１の容器本体２と、下側の蓋付き容器１の容器本体２とが、スタッキングの相対位置関係、又は、ネスティングの相対位置関係のどちらになっていても、蓋部材６を介在させることにより、蓋付き容器１をスタッキングさせることができるようになっている。つまり、蓋付き容器１のスタッキング状態において、上側の蓋付き容器１の容器本体２と、下側の蓋付き容器１の容器本体２とがネスティングの相対位置関係とされている場合、上側の蓋付き容器１の容器本体２の支持部１４が、下側の蓋付き容器１の蓋部材６の天壁部３１の外周対応部３４のうち、下側の蓋付き容器１の容器本体２の受容部１８の上方に位置する部位に当接して支持される。
【００５１】
その一方で、蓋付き容器１のスタッキング状態において、上側の蓋付き容器１の容器本体２と、下側の蓋付き容器１の容器本体２とがスタッキングの相対位置関係とされている場合、上側の蓋付き容器１の容器本体２の支持部１４が、下側の蓋付き容器１の蓋部材６の天壁部３１の外周対応部３４のうち、下側の蓋付き容器１の容器本体２の載置部２３の上方に位置する部位に当接して支持される。
【００５２】
上記の通り、蓋部材６の下面側には、容器本体２に被せられた状態において、長辺側側壁部４の受容部１８、及び、載置部２３の上方に延在するとともに、容器本体２の上フランジ部１１（下段部２１）に当接する架け渡しリブ４１が設けられている。そして、蓋付き容器１をスタッキングする場合に、上側の蓋付き容器１の容器本体２と、下側の蓋付き容器１の容器本体２とが、スタッキングの相対位置関係、又は、ネスティングの相対位置関係のどちらになっていても、上側の蓋付き容器１が、下側の蓋付き容器１の蓋部材６の天壁部３１、及び、架け渡しリブ４１を介して、下側の蓋付き容器１の容器本体２の上フランジ部１１に支持されるようになっている。
【００５３】
加えて、蓋部材６の天壁部３１の各短側辺部の中央部に対応して、作業者が蓋部材６を着脱する際に指先を掛ける手掛け部４４が設けられている。また、容器本体２の各短辺側側壁部５の上辺部の中央部に対応して、作業者が容器本体２（蓋付き容器１）を持ち運ぶ際に指先を掛ける持ち手部４５が設けられている。
【００５４】
以上詳述したように、本実施形態によれば、蓋部材６は、容器本体２に被せられた状態において、各長辺側側壁部４に設けられた受容部１８の上側の開口部の一側部と他側部との間を跨ぐようにして延在する架け渡しリブ４１を備えている。このため、蓋部材６のうち容器本体２に被せられた場合において受容部１８の上方に位置する部位の強度、及び、剛性を高めることができる。従って、蓋付き容器１同士を積み重ねる（スタッキングする）場合に、上側の蓋付き容器１の容器本体２と、下側の蓋付き容器１の容器本体２とが、（下側の蓋付き容器１の蓋部材６を介して）ネスティングの相対位置関係になり、上側の容器本体２の支持部１４の直下方に、下側の容器本体２の上フランジ部１１が存在していない場合であっても、下側の蓋付き容器１の蓋部材６のうち、上側の蓋付き容器１の容器本体２の支持部１４と当接して支持する部位の変形や損傷等を効果的に防止することができる。
【００５５】
さらに、蓋部材６が容器本体２に被せられた状態において架け渡しリブ４１が、容器本体２の上フランジ部１１に当接して支持されるように構成されている。この場合、例えば、蓋付き容器１のスタッキング状態において、上側の蓋付き容器１の容器本体２と、下側の蓋付き容器１の容器本体２とがネスティングの相対位置関係となる場合に、下側の蓋付き容器１の蓋部材６（天壁部３１）のうち、上側の蓋付き容器１の容器本体２の支持部１４に当接して支持している部位の下面側に設けられている架け渡しリブ４１が、下側の蓋付き容器１の容器本体２の上フランジ部１１に当接して支持されることとなる。これにより、蓋付き容器１のスタッキング状態において、上側の蓋付き容器１の容器本体２と、下側の蓋付き容器１の容器本体２とがネスティングの相対位置関係となっている場合に、上側の蓋付き容器１の荷重を、下側の蓋付き容器１の蓋部材６の天壁部３１、及び、架け渡しリブ４１を介して、下側の蓋付き容器１の容器本体２の上フランジ部１１に支持させることができる。従って、例えば、蓋部材６を容器本体２に被せた状態において、架け渡しリブ４１と、上フランジ部１１とが離間している場合に比べ、上下の蓋付き容器１の容器本体２がネスティングの相対位置関係とされる蓋付き容器１のスタッキング状態において、下側の蓋付き容器１の架け渡しリブ４１を変形し難くしたり、天壁部３１のうち、上側の蓋付き容器１の支持部１４と当接して支持している部位が下方に変位するようにして変形することを防止したりすることができる。結果として、蓋付き容器１のスタッキング状態の安定化を図るといった作用効果がより確実に奏される。
【００５６】
また、容器本体２のスタッキング、及び、ネスティングの両方を可能とするべく、容器本体２の支持部１４、及び、受容部１８は、平面視（或いは下面視）で底壁構成部３の中央部を中心として非点対称位置に設けられている。さらに、本実施形態では、容器本体２の上部外周形状と、蓋部材６の外周形状とを合わせさえすれば（容器本体２と、容器本体２に被せられた蓋部材６との相対的な向きが、蓋部材６、及び、容器本体２の周方向において、蓋部材６の第１長側面６ａと、容器本体２の第１長辺側側壁部４ａとが合致する第１相対向き、又は、蓋部材６、及び、容器本体２の周方向において、蓋部材６の第１長側面６ａと、容器本体２の第２長辺側側壁部４ｂとが合致する第２相対向きのどちらであっても）、蓋部材６を容器本体２に被せられるように構成されており、利便性の向上を図ることができる。
【００５７】
かかる構成に対応して、本実施形態では、蓋部材６には、容器本体２に対して第１相対向きで被せた場合に受容部１８の上方を跨ぐようにして延在する第１架け渡しリブ４２だけでなく、容器本体２に対して第２相対向きで被せた場合に受容部１８の上方を跨ぐようにして延在する第２架け渡しリブ４３が設けられている。このため、容器本体２の上部外周形状と、蓋部材６の外周形状とを合わせて、蓋部材６を容器本体２に被せさえすれば、受容部１８の上方に第１架け渡しリブ４２、又は、第２架け渡しリブ４３を延在させることができる。従って、容器本体２に蓋部材６を被せる際の利便性、及び、作業性の向上が図られる上、蓋付き容器１のスタッキング状態の安定化を図るといった上記作用効果がより確実に奏される。
【００５８】
また、蓋付き容器１のスタッキング状態において、上側の蓋付き容器１の容器本体２と、下側の蓋付き容器１の容器本体２とがスタッキングの相対位置関係となっている場合には、上側の容器本体２の支持部１４の直下方に、（下側の蓋付き容器１の蓋部材６を介して）下側の容器本体２の上フランジ部１１が配置される。さらに、架け渡しリブ４１が、第１架け渡しリブ４２、及び、第２架け渡しリブ４３を備えることから、上下の蓋付き容器１の容器本体２がスタッキングの相対位置関係となる蓋付き容器１のスタッキング状態であっても、上側の蓋付き容器１の容器本体２の支持部１４は、下側の蓋付き容器１の蓋部材６（天壁部３１）のうち下面側において架け渡しリブ４１が設けられている部位の上面側に当接して支持されることとなる。
【００５９】
従って、上下の蓋付き容器１の容器本体２がスタッキングの相対位置関係となる蓋付き容器１のスタッキング状態において、下側の蓋付き容器１の蓋部材６のうち、上側の容器本体２の支持部１４を支持した部位の下面側（架け渡しリブ４１）を、下側の容器本体２の上フランジ部１１で（上フランジ部１１に当接状態として）好適に支持することができ、蓋付き容器１の安定したスタッキングが行われる。すなわち、蓋付き容器１をスタッキングする際に、上側の蓋付き容器１の容器本体２と、下側の蓋付き容器１の容器本体２とが、スタッキングの相対位置関係、及び、ネスティングの相対位置関係のどちらになっても、安定したスタッキングが行われる。従って、蓋付き容器１をスタッキングする際に、蓋付き容器１の向きを確認しなくても、蓋付き容器１を安定してスタッキングさせることができ、蓋付き容器１のスタッキングに際しての作業性の向上等を図ることができる。さらに、スタッキングされた蓋付き容器１の向きを間違えることによって、蓋付き容器１のスタッキング状態の不安定化を招くといった事態を回避することができる。結果として、蓋付き容器１のスタッキングに際しての作業性の向上を図りつつ、蓋付き容器１のスタッキング状態の安定化を図ることができる。
【００６０】
尚、蓋部材６の外周対応部３４には、架け渡しリブ４１が全周に設けられるのではなく、架け渡しリブ４１が設けられていない範囲も存在するようになっている。この場合、架け渡しリブ４１が蓋部材６の全周にわたって設けられる場合に比べて、蓋部材６の軽量化等を図るとともに、蓋部材６において手掛け部４４等を好適に設けることができる。
【００６１】
また、本実施形態では、互いに隣接する第１架け渡しリブ４２と、第２架け渡しリブ４３とが連結されて直線状に延在するとともに、当該連結された架け渡しリブ４１の両端部が、それぞれ連結リブ３７と連結されている。さらに、連結リブ３７は、外側リブ３２と、内側リブ３３とに連結されている。このため、架け渡しリブ４１の強度、及び、剛性を高めることができ、架け渡しリブ４１の変形（傾倒変位等）や損傷を抑止することができる。結果として、蓋付き容器１のスタッキング状態の安定化を図るといった上記作用効果がより確実に奏される。
【００６２】
加えて、蓋部材６が容器本体２に被せられた状態において、外側リブ３２、連結リブ３７、及び、架け渡しリブ４１（並びに、コーナーリブ３８）が、容器本体２の上フランジ部１１に当接して支持されるように構成されている。このように、蓋部材６を容器本体２に被せた状態において、外側リブ３２を容器本体２の上フランジ部１１に当接させることで、蓋部材６の外寸を、容器本体２の上部の外寸から外方にはみ出さないように構成しつつ、蓋部材６と、容器本体２（上フランジ部１１）とが上下に当接する面積を効率的に増やすことができる。さらに、蓋部材６を容器本体２に被せた状態において、外側リブ３２の他にも、連結リブ３７、及び、架け渡しリブ４１（並びに、コーナーリブ３８）が、上フランジ部１１に当接して支持されることから、外側リブ３２、連結リブ３７、及び、架け渡しリブ４１が、互いに強度、及び、剛性を高め合い、変形等を抑止することができる。結果として、蓋付き容器１のスタッキング状態の安定化を図るといった作用効果がより一層奏される。
【００６３】
尚、上記実施形態の記載内容に限定されず、例えば次のように実施してもよい。勿論、以下において例示しない他の応用例、変更例も当然可能である。
【００６４】
（ａ）上記実施形態では、蓋部材６を容器本体２に被せた状態において、架け渡しリブ４１が、上フランジ部１１に当接しているが、上下に離間していてもよい。さらに、上記実施形態では、架け渡しリブ４１が連結リブ３７と連結されているが、連結されていなくてもよい。但し、蓋付き容器１のスタッキング状態等において、架け渡しリブ４１やその周辺部の変形等を抑止するべく、蓋部材６を容器本体２に被せた状態において、架け渡しリブ４１が上フランジ部１１に当接するように構成されていることが望ましく、さらには、架け渡しリブ４１が連結リブ３７と連結されていることが望ましい。
【００６５】
（ｂ）上記実施形態では、容器本体２、及び、蓋部材６は、平面視した場合に、長手幅と、短手幅とが存在する形状とされているが、例えば、平面視略正方形状としてもよい。この場合には、容器本体のスタッキング、及び、ネスティングの両方が可能なように、容器本体が、支持部及び受容部の配置により、平面視及び下面視で４回回転対称形状ではない形状となっていれば、容器本体が平面視及び下面視で点対称形状となっていてもよい。つまり、例えば、容器本体の相対する一対の第１側壁部に対し横幅方向中央部において第１支持部及び第１受容部を設け、一対の第１側壁部の両側部間をそれぞれ連結するようにして延びる一対の第２側壁部に対し横幅方向の両側部近傍部位において第２支持部及び第２受容部を設け、容器本体同士を同じ向きで重ねることでネスティングされ、下側の容器本体に対して上側の容器本体を９０度旋回させて重ねることでスタッキングされる（さらに、同方向に上側の容器本体を９０度旋回させて重ねることでネスティングされる）ように構成してもよい。
【００６６】
（ｃ）上記実施形態において、支持部１４、及び、受容部１８の数は特に限定されず、容器本体２のネスティングに際して全ての支持部１４が受容部１８に収容され、容器本体２のスタッキングに際して全ての支持部１４が上フランジ部１１に当接するようになっていればよい。例えば、一方の長辺側側壁部４の支持部１４、及び、受容部１８が２つずつであるのに対し、他方の長辺側側壁部４の支持部１４、及び、受容部１８が１つずつであることとしてもよい。さらに、例えば、短辺側側壁部５の支持部１４、及び、受容部１８を省略することも可能である。
【００６７】
また、上記実施形態では、第１架け渡しリブ４２と、第２架け渡しリブ４３とが連結された格好となっているが、容器本体２の受容部１８の配置等に応じて（受容部１８と、載置部２３とが離間する場合、より具体的には、平面視において、第１向きの容器本体２の受容部１８の位置と、第１向きの蓋部材６を１８０度旋回させた第２向きの容器本体２の受容部１８の位置とが重複せず、離間する場合に）、第１架け渡しリブ４２と、第２架け渡しリブ４３とを別々に延在させてもよい。加えて、第１長辺側側壁部４の厚み方向において、第１架け渡しリブ４２の位置と、第２架け渡しリブ４３の位置とをずらしてもよい。
【００６８】
さらに、架け渡しリブ４１は、蓋部材６が容器本体２に被せられた状態において、受容部１８又は載置部２３の上方に位置して容器本体２と接触しない部位と、上フランジ部１１の下段部２１の上方に位置して当該下段部２１と当接する部位とを備えているが、架け渡しリブ４１は、受容部１８及び載置部２３の上側開口部の一側部から他側部にかけて延在していればよく、例えば、架け渡しリブ４１のうち、蓋部材６が容器本体２に被せられた状態において容器本体２の下段部２１と当接して支持される部位を省略することも可能である。但し、スタッキング状態の安定化を図るべく、架け渡しリブ４１は、容器本体２に被せられた場合に、上フランジ部１１に当接して支持される部位を備えることが望ましく、さらに、架け渡しリブ４１のうち受容部１８（及び載置部２３）の上方に位置する部位を挟んだ両側において、前記上フランジ部１１に当接して支持される部位を備えることが望ましい。
【００６９】
加えて、例えば、受容部１８と、載置部２３とが離間する構成において、互いに連結された第１架け渡しリブ４２のうち蓋部材６が容器本体２に被せられた状態において受容部１８又は載置部２３の上方に位置する部位と、第２架け渡しリブ４３のうち蓋部材６が容器本体２に被せられた状態において受容部１８又は載置部２３の上方に位置する部位との間に、蓋部材６が容器本体２に被せられた状態において容器本体２の下段部２１と当接して支持される部位を備えるように構成してもよい。また、各受容部１８に対応する架け渡しリブ４１を並列させて複数本設けることとしてもよい。
【００７０】
尚、上記実施形態において、第２架け渡しリブ４３を省略することも可能である。但し、その場合には、容器本体２に被せる蓋部材６の向きを間違えると、架け渡しリブ４１（第１架け渡しリブ４２）が、受容部１８の上方位置からずれてしまうことから、蓋付き容器１のスタッキングを可能とする構成を前提として、蓋部材６を容器本体２に被せる際の利便性、及び、作業性の向上を図るべく、第１架け渡しリブ４２、及び、第２架け渡しリブ４３の両方を設けることが望ましい。
【００７１】
（ｄ）上記実施形態では、蓋部材６において、長辺側側壁部４の受容部１８に対応する架け渡しリブ４１が設けられ、短辺側側壁部５の受容部１８に対応する架け渡しリブが設けられていないが、かかる構成に代えて、又は、加えて、短辺側側壁部５の受容部１８に対応する架け渡しリブを設けることとしてもよい。特に、全ての側壁部４、５において受容部１８（及び、支持部１４）が設けられるとともに、蓋部材６において、容器本体２に被せられた場合に、全ての受容部１８の上方にそれぞれ延在する架け渡しリブ４１が設けられることで、上下の蓋付き容器１の容器本体２がネスティングの相対位置関係となる蓋付き容器１のスタッキング状態のより一層の安定化を図ることができる（支持部１４の数を増やすことでも、スタッキング状態の安定化等を図る作用効果が向上する）。尚、短辺側側壁部５の受容部１８に対応する架け渡しリブのみを設けることとしてもよいが、蓋部材６の長手幅方向の方が比較的変形し易いことから、長辺側側壁部４の受容部１８に対応して架け渡しリブ４１を設けることが望ましい。
【００７２】
さらに、蓋部材６のうち、容器本体２に被せられた状態において上フランジ部１１の上方に位置する外周対応部３４に対し、架け渡しリブ４１を蓋部材６の全周にわたって設けることも可能ではあるが、蓋部材６の軽量化等を図ったり、手掛け部４４等を好適に設けたりするべく、外周対応部３４において架け渡しリブ４１が設けられない範囲を設けることが望ましい。
【００７３】
（ｅ）上記実施形態では、連結リブ３７は、蓋部材６が容器本体２に被せられた状態において、受容部１８から外れた位置に設けられているが、受容部１８の上方に延在するようにして（連結リブ３７と、架け渡しリブ４１とが交差するようにして）設けられていてもよい。また、架け渡しリブ４１と、内側リブ３３との間を連結したり、架け渡しリブ４１と、外側リブ３２との間を連結したりするリブを設けることとしてもよい。さらに、蓋部材６が容器本体２に被せられた状態において連結リブ３７が上フランジ部１１と当接しないよう構成してもよいが、蓋付き容器１のスタッキング状態の安定化や、架け渡しリブ４１の変形の抑止等を図るべく、蓋部材６が容器本体２に被せられた状態において連結リブ３７が、架け渡しリブ４１等とともに、上フランジ部１１の上面と当接して支持されるように構成することが望ましい。
【００７４】
加えて、上記実施形態の蓋部材６は、容器本体２に被せられた状態において容器本体２の側壁部４、５の内周側に挿入される内側リブ３３が設けられるとともに、天壁部３１の側辺部から下方に突出する外側リブ３２が、容器本体２の上フランジ部１１の上面に当接して支持されるように構成されているが、内側リブ３３を省略するとともに、外側リブ３２が容器本体２の上フランジ部１１を囲うようにして、上フランジ部１１の外側端縁よりも外方に位置するように構成してもよい。
【００７５】
尚、上記実施形態では、上フランジ部１１や天壁部３１を段差状に構成されているが、上フランジ部１１や天壁部３１の全体を平板状に構成してもよい。また、ずれ防止突部２４や載置部２３を省略することも可能である。
【００７６】
（ｆ）上記実施形態では、支持部１４の内面側が受容部１８として構成され、容器本体２同士を同じ向きで積み重ねることでネスティングされ、下側の容器本体２に対して上側の容器本体２を１８０度旋回させた向きで積み重ねることでスタッキングされる構成となっているが、側壁部４、５の各横幅方向において、支持部の位置と、受容部の位置とがずれており、容器本体２同士を同じ向きで積み重ねることでスタッキングされ、１８０度旋回させた向きで積み重ねることでネスティングされるような構成としてもよい。
【００７７】
（ｇ）上記実施形態では、容器本体２、及び、蓋部材６はポリプロピレンにより構成されているが、ポリエチレン、ＰＥＴ、ポリアミド等その他の樹脂材料により構成されることとしてもよい。
【符号の説明】
【００７８】
１…蓋付き容器、２…容器本体、３…底壁構成部、４…長辺側側壁部、４ａ…第１長辺側側壁部、４ｂ…第２長辺側側壁部、５…短辺側側壁部、６…蓋部材、６ａ…第１長側面、７…箱状体、１１…上フランジ部、１４…支持部、１８…受容部、３１…天壁部、３２…外側リブ、３３…内側リブ、４１…架け渡しリブ、４２…第１架け渡しリブ、４３…第２架け渡しリブ。
【図１】
2019218125.tif 000003
【図２】
2019218125.tif 000004
【図３】
2019218125.tif 000005
【図４】
2019218125.tif 000006
【図５】
2019218125.tif 000007
【図６】
2019218125.tif 000008
【図７】
2019218125.tif 000009
【図８】
2019218125.tif 000010
【図９】
2019218125.tif 000011
【図１０】
2019218125.tif 000012
【図１１】
2019218125.tif 000013
【図１２】
2019218125.tif 000014
【図１３】
2019218125.tif 000015
【図１４】
2019218125.tif 000016
【図１５】
2019218125.tif 000017